(57)【要約】【課題】光源を使用せずに、紙幣を差し込むだけで、容易に紙幣の真贋を確認できる。【解決手段】水平片２と傾斜片３とから無色透明の第一部材１とする。傾斜したＵ字状の第一片６と第二片７、水平の第三片８とから黒色透明の第二部材５とする。傾斜片３を、第一片６と第二片７の間隙に差し込み、傾斜片３と第二片７とを密着固定する。傾斜片３と第一片６との間は接着されず、紙幣挟持部を形成する。水平片２の上面２ａに白色不透明の反射シール４を貼り、紙幣挟持装置１０を構成する。レジスター等に載置した紙幣挟持装置１０に矢示１６のように、紙幣１３を差し込み（ａ）、紙幣１３は傾斜片３と第一片６とに挟まれて保持される。第一片５６に紙幣１３の透かし部１４を位置させると（ｂ）、蛍光灯等の照明が反射シール４に反射し、紙幣１３の透かし部１４の他面１４ｂに当たり、第一片６に透かし１５が浮き上がる。【選択図】図４
2006331381.tif 000002
【特許請求の範囲】
【請求項１】
レジスター等に載置でき、又は前記レジスター等の一部を構成する基台部と、
該基台部に固定された紙幣挟持部とからなり、
前記紙幣挟持部は、紙幣を挟むことができる挟持部本体と透かし確認部とからなり、
前記透かし確認部は、前記紙幣の透かし部の一面に当接する有色透明部を有することを特徴とする紙幣挟持装置。
【請求項２】
レジスター等に載置でき、又は前記レジスター等の一部を構成する基台部と、
該基台部に固定された紙幣挟持部とからなり、
前記紙幣挟持部は、紙幣を挟むことができる挟持部本体と透かし確認部とからなり、
前記透かし確認部は、前記紙幣の透かし部の一面に当接する有色透明部を有し、
前記紙幣の透かし部の他面側に光を当てる反射部を、「前記透かし確認部」又は「前記レジスター等の一部」に形成したことを特徴とする紙幣挟持装置。
【請求項３】
レジスター等に載置でき、又は前記レジスター等の一部を構成する基台部と、
該基台部に固定された紙幣挟持部とからなる紙幣を挟持できる装置であって、以下のような構造を特徴とした紙幣挟持装置。
(1) 前記紙幣挟持部は、黒色透明板を有する。
(2) 前記黒色透明板は、紙幣の透かし部の一面に当接して、紙幣の透かし部の全部又は一部に重なる。
(3) 「前記紙幣挟持部」又は「前記レジスター等の一部」に反射板を設ける。
(4) 前記反射板は、前記紙幣の透かし部の他面側に位置し、前記紙幣の透かし部の他面側に光を当てることができるように、前記黒色透明板と１８０度以下の角度を保つ位置に配置される。
【発明の詳細な説明】
【技術分野】
【０００１】
この発明は、スーパーのレジスター等に設置して、あるいはレジスター等の一部となって、紙幣を一時的に挟んで、透かしの有無を確認する紙幣挟持装置に関する。
【背景技術】
【０００２】
印刷技術の発達により、家庭のパソコンを使って、精巧な印刷を施した偽造紙幣が印刷できるようになり、安易な犯罪も発生している。しかしながら、偽造紙幣では、透かしを入れることができず、透かしの有無の判断が最も簡易でかつ、確実な紙幣の真贋判断方法である。
【０００３】
従来の透かしを判断する装置は、種々提案されているが、例えば、レジスターに光源を設置して、光源の前に紙幣の保持具を設けたレジスターが提案されている（特許文献１）。また、裏から光を当てる照明装置を取り付けたキャッシュトレーの提案もあった（特許文献２）。
【特許文献１】特開２０００−３０４６７０
【特許文献２】特開２００３−２１６９９８
【発明の開示】
【発明が解決しようとする課題】
【０００４】
前記従来の発明は、いずれも光源を必要とし、電池や電灯線での電源供給が必須であり、装置の小型化を図れなかった。また、スーパーなどのレジ業務は、開店から閉店まで長時間に亘るので、各種センサーでオンオフを制御することも可能であるが、ぼぼ常時、光源がオン状態となるので、光源の消耗も早く、光源のランプ類や電源関係の交換も頻繁に生じ、メンテナンスが煩雑となる問題点があった。
【０００５】
更に、いかにも紙幣の透かしをチェックしている形態を示す実施態様となり、また、紙幣を挟んだり、置いたりした状態で、光源から光があたるので、顧客が払った紙幣の真贋をチェックしていることがわかり、顧客に不快感を与えかねない問題点があった。
【課題を解決するための手段】
【０００６】
然るにこの発明は、反射部を設けて周囲の照明を利用して、紙幣の透かし部に光を当て、更に紙幣に当接する有色透明部を設けたので、光源を不要とし、前記問題点を解決した。
【０００７】
即ちこの発明は、レジスター等に載置でき、又は前記レジスター等の一部を構成する基台部と、該基台部に固定された紙幣挟持部とからなり、前記紙幣挟持部は、紙幣を挟むことができる挟持部本体と透かし確認部とからなり、前記透かし確認部は、前記紙幣の透かし部の一面に当接する有色透明部を有することを特徴とする紙幣挟持装置である。
【０００８】
また、他の発明は、レジスター等に載置でき、又は前記レジスター等の一部を構成する基台部と、該基台部に固定された紙幣挟持部とからなり、前記紙幣挟持部は、紙幣を挟むことができる挟持部本体と透かし確認部とからなり、前記透かし確認部は、前記紙幣の透かし部の一面に当接する有色透明部を有し、前記紙幣の透かし部の他面側に光を当てる反射部を、「前記透かし確認部」又は「前記レジスター等の一部」に形成したことを特徴とする紙幣挟持装置である。
【０００９】
更に、レジスター等に載置でき、又は前記レジスター等の一部を構成する基台部と、該基台部に固定された紙幣挟持部とからなる紙幣を挟持できる装置であって、以下のような構造を特徴とした紙幣挟持装置である。  
(1) 前記紙幣挟持部は、黒色透明板を有する。  
(2) 前記黒色透明板は、紙幣の透かし部の一面に当接して、紙幣の透かし部の全部又は一部に重なる。  
(3) 「前記紙幣挟持部」又は「前記レジスター等の一部」に反射板を設ける。  
(4) 前記反射板は、前記紙幣の透かし部の他面側に位置し、前記紙幣の透かし部の他面側に光を当てることができるように、前記黒色透明板と１８０度以下の角度を保つ位置に配置される。
【００１０】
前記における「紙幣」とは、紙幣に代表される透かしを施したシート状の物を指し、証券類等も含む。
【００１１】
また、前記における「有色透明板」とは、光を透過する性質を有する材料で、着色され、無透明に比して透過性を抑制した性質を有する板を指す。いわゆるグレースモーク、ブラウンスモーク、ブルースモーク、ミスティスモーク、カーマイン（赤透明）、レモン透明、オレンジ透明、スカイブルー透明、コバルト透明、パープル透明、グリーン透明、蛍光イエロー、蛍光グリーン等を含む。また、「黒色透明板」は、前記「有色透明板」の内で、黒に代表される暗い色に着色され、グレースモーク、ブラウンスモーク、ブルースモーク等のように、より透過性を抑制した性質を有する板を指す。
【００１２】
また、前記における「レジスター等」とはレジスターに代表される紙幣を扱う際に、周辺で使用される機械器具を指し、金庫、パソコン、机、テーブル類等の汎用機械器具も含む。
【発明の効果】
【００１３】
レジスター等に載置できる基台部を設けたので、既存のレジスター等に置き、あるいは粘着テープや磁石で取り付けることができ、レジスターの狭い表面スペースを有効に使って、容易に設置でき、または予めレジスター等に組み込むことができる。また、紙幣挟持部に紙幣を挟んだ状態で、蛍光灯等の室内光を反射させて、紙幣の透かし部の他側に光を当て、更に一側に位置する有色透明部で光の透過量を制限できるので、透かし表面への照射光を制限して、もしくは紙幣の透かし部表面での反射光を制限して、透かし確認部に透かしを表すことができる。
【００１４】
従って、この発明は、周囲の光を反射して利用できるので、この発明の紙幣挟持装置用に別途の光源を不要とし、従来から、紙幣を一時的に挟むクリップと同様の構造に形成でき、容易に紙幣の透かしの有無の確認により、真贋を確認できる。
【００１５】
また、紙幣を一時的に挟むクリップと同様の構造に形成でき、かつ光源が不要であるので、顧客に透かしをチェックしていることを悟られず、紙幣の真贋をチェックできる。
【発明を実施するための最良の形態】
【００１６】
［１］第一実施形態
【００１７】
図１（ａ）、図４、図５に基づきこの発明の実施態様を説明する。
【００１８】
（１−１）紙幣挟持装置１０の構成
【００１９】
無色透明の樹脂材からなり、水平片２と傾斜片３とを角度θ１（θ＝約４５度）で配置した略Ｖ字状の一体の第一部材１を形成する。
【００２０】
黒色透明の樹脂材からなり、第一片６の上端にＵ字状に折り曲げて、間隙９を保持して第二片７を連設し、第一片６の下端に角度「１８０度−θ」で連設した第三片８から一体の第二部材５を構成する。
【００２１】
第一部材１の傾斜片３の上端側を、第二部材５の第一片６と第二片７の間の間隙９に差し込み、第一部材１の傾斜片３の裏面３ｂ側と第二部材５の第二片７とを密着固定する。この状態で、第一部材１の傾斜片３と第二部材５の第一片６、第二片７とが重なり、傾斜片３と第一片６との間は接着されず、紙幣挟持部を形成する。第一部材１の水平片２と第二部材５の第三片８とは並行に形成される。
【００２２】
水平片２の上面２ａ（傾斜片側）に白色不透明の反射シール４を貼る。以上のようにして、この発明の紙幣挟持装置１０を構成する。第一部材１の傾斜片３と第二部材５の第三片８との間は角θ２（＝θ１）で形成される。
【００２３】
前記おいて、第一部材１の水平片２（下面２ｂ）が基台部を構成する（図１（ａ））。また、第一部材１の傾斜片３と第二部材５の第一片６とで挟持部本体を構成する。また、第二部材５の第一片６が透かし確認部の有色透明部を構成する。即ちこの実施態様では、第二部材５の第一片６が有色透明部と挟持部本体とを兼ねている。また、第一部材１の水平片２の上面２ａ（反射シール４を貼ってある）が透かし確認部の反射部を構成する。
【００２４】
（１−２）紙幣挟持装置１０の使用
【００２５】
レジスター１２に、紙幣挟持装置１０の第一部材１の水平片２の下面２ｂを固定して使用する（図５（ａ））。
【００２６】
第一部材１の傾斜片３と第二部材５の第三片８との間により案内して、矢示１６のように、紙幣１３を差し込み（図４（ａ））、紙幣１３は第一部材１の傾斜片３と第二部材５の第一片６とに挟まれて保持される。
【００２７】
第二部材５の第一片６に紙幣１３の透かし部１４を位置させ、透かし部１４の一面１４ａが第二部材５の第一片６の面に沿って当接する（図４（ｂ）、図５（ｂ））。この際、蛍光灯等の照明が反射シール４に反射して、光は透明の傾斜片３を透過して紙幣１３の透かし部１４の他面１４ｂに当たり、透かし部１４の一面１４ａが密着された第二部材５の第一片６に透かし１５を浮き上がらせる。
【００２８】
従って、レジスター１２の操作者は、顧客から預かった紙幣１３を紙幣挟持装置１０に差し込むだけで、あらためて透かし１５を確認する作業をすることなく、容易に紙幣１３の真贋を確認できる。
【００２９】
（１−３）他の実施態様
【００３０】
前記において、第一部材１の水平片２と第二部材５の第三片８とは並行に形成され、第三片８と傾斜片３とが角θ２で配置されるが、紙幣挟持部へ紙幣１３の挿入を案内できれば、即ち第三片８と傾斜片３との成す角θ２が鋭角となれば、θ２は任意である。
【００３１】
また、角θ２≠θ１、とすることもできる（図示していない）。
【００３２】
また、前記において、第一部材１の水平片２に白色の反射シール４を貼ったが、傾斜片３を無色透明で、水平片２を白色不透明で形成できれば、反射シール４は不要である。更に、第一部材１は水平片２と傾斜片３とを一体に形成したが、透明の傾斜片３、白色の水平片２となるように別部材で形成することもできる。
【００３３】
また、反射シール４は、照明等の光を反射できれば、白色以外でも可能であり、例えば鏡面、銀色等に形成することもできる（図示していない）。また、第二部材５の第一片６と成す角θ１も、紙幣１３の透かし部１４の他面１４ｂに光を当てることができれば、任意であり、通常は１８０度以下とする。
【００３４】
また、前記において、蛍光灯や他の照明器具から直接に光が、あるいは設置したレジスター等の表面で反射した光が、または、レジスター等に設置された照明器具からの光が、紙幣１３の他面１４ｂに直接当たる環境にあれば、反射シール４を不要にすることもできる（図示していない）。また、この場合、反射シール４を除いた際に、水平片２の表面の状態も当然に任意である。
【００３５】
また、前記実施例において、傾斜片３を直接にレジスター等の表面に固定することもできる（図示していない）。この場合には、水平片２は、レジスター等の表面（レジスター等の一部）から構成される。
【００３６】
［２］第二実施形態
【００３７】
図１（ｂ）、図２（ｂ）、図６、図７、図１０、図１１に基づきこの発明の他の実施態様を説明する。
【００３８】
（２−１）紙幣挟持装置１０の構成
【００３９】
白色不透明の樹脂材からなり、下部水平片１９の上縁に角θ１（θ１＝約１３５度）で傾斜片２０を連設し、傾斜片２０の上縁に、角θ１で上部水平片２１を連設して、一体の第一部材１８を形成する。
【００４０】
黒色透明の樹脂材からなり、水平の第二片２７の一端に角θ１で、傾斜した第一片２４を連設して、第二部材２３を構成する。第一片２４は上部２５と下部２６に区画される。
【００４１】
第一部材１８の下部水平片１９の上面１９ａに、第二部材２３の第二片２７の下面２７ｂを密着固定する。この状態で、第一部材１８の傾斜片２０と第二部材２３の第一片２４の下部２６が重なり、傾斜片２０と第一片２４の下部２６との間は接着されず、紙幣挟持部を形成する。第一部材１８の上部水平片２１と第二部材２３の第一片２４の上部２５とは、角度θ２（θ２＝１８０度−θ１）で形成される。
【００４２】
以上のようにして、この発明の紙幣挟持装置１０を構成する（図１（ｂ））。
【００４３】
前記おいて、第一部材１８の下部水平片１９が基台部を構成する。また、第一部材１８の傾斜片２０と第二部材２３の第一片２４の下部２６とで挟持部本体を構成する。また、第二部材２３の第一片２４の上部２５が透かし確認部の有色透明部を構成する。また、第一部材１８の上部水平片２１の上面２１ａが透かし確認部の反射部を構成する。
【００４４】
（２−２）紙幣挟持装置１０の使用
【００４５】
レジスター１２に、紙幣挟持装置１０の第一部材１８の下部水平片１９の下面１９ｂを固定して使用する（図７（ａ））。
【００４６】
第一部材１８の上部水平片２１と第二部材２３の第一片２４の上部２５との間により案内して、矢示１６のように、紙幣１３を差し込み（図６（ａ））、紙幣１３は第一部材１８の傾斜片２０と第二部材２３の第一片２４の下部２６とで挟まれ、保持される。第二部材２３の第一片２４の上部２５に紙幣１３の透かし部１４を位置させ、透かし部１４の一面１４ａが第二部材２３の第一片２４の上部２５の面に沿って当接する（図６（ｂ）、図７（ｂ））。この際、蛍光灯等の照明が第一部材１８の上部水平片２１の上面２１ａに反射して、光は紙幣１３の透かし部１４の他面１４ｂに当たり、第二部材２３の第一片２４の上部２５に透かし１５を浮き上がらせる。
【００４７】
従って、第一の実施態様と同様に、レジスター１２の操作者は、顧客から預かった紙幣１３を紙幣挟持装置１０に差し込むだけで、改めて透かしを確認する作業をすることなく、容易に紙幣１３の真贋を確認できる。
【００４８】
（２−３）他の実施態様
【００４９】
前記において、第一部材１８は白色不透明の樹脂材で形成したが、上部水平片２１の上面２１ａで反射部を形成できれば（例えば、第一実施態様の反射シール４を添付する等）、他の構成は任意である（図示していない）。また、上部水平片２１が第二部材２３の第一片２４の上部２５と成す角θ２も、紙幣１３の透かし部１４の他面１４ｂに光を当てることができれば、任意であり、通常は１８０度以下とする。
【００５０】
また、前記において、蛍光灯や他の照明器具から直接に光が、あるいは設置したレジスター等の表面で反射した光が、または、レジスター等に設置された照明器具の光が、紙幣１３の他面１４ｂに直接当たる環境にあれば、第一部材１８の上部水平片２１の上面２１ａの表面は反射の機能は不要であり、任意な構成とすることもできる。例えば、水平片２１自体を省略することもできる（図示していない）。
【００５１】
また、前記において、角θ１を１３５度で形成したが、作業効率上１１０度〜１５０度で形成することが望ましいが、他の鈍角で形成することもできる。例えば、角θ１＝１２０度で形成することができる（図２（ｂ）、図１０、図１１）。
【００５２】
また、前記において、角θ２≠（１８０度−θ１）、とすることもできる（図示していない）。
【００５３】
また、前記において、「下部水平片１９」又は「下部水平片１９及び／又は第二片２７」を省略して、「傾斜片２０」及び／又は「第一片２４の下部２６」を直接にレジスター等に固定して構成することもできる（図示していない）。
【００５４】
また、他の態様は実施態様１と同様である。
【００５５】
［３］第三実施形態
【００５６】
図２（ａ）、図８、図９に基づきこの発明の他の実施態様を説明する。
【００５７】
（３−１）紙幣挟持装置１０の構成
【００５８】
白色不透明の樹脂材からなり、垂直片３０の上端に、角θ１（θ１＝１２０度）を成す傾斜片３３を連設して、一体の第一部材２９を形成する。垂直片３０は上部３１と下部３２に区分される。
【００５９】
黒色透明の平板の樹脂材からなり、上部３６、中間部３７及び下部３８からなる第二部材３５を構成する。
【００６０】
第一部材２９の垂直片３０の下部３２の一面３２ａに、第二部材３５の下部３８の一面３８ａを密着固定する。この状態で、第一部材２９の垂直片３０の上部３１と、第二部材の中間部３７が重なり、垂直片３０の上部３１と第二部材３５の中間部３７との間は接着されず、紙幣挟持部を形成する。第一部材２９の傾斜片３３と第二部材３５の上部３６とは、角度θ２（＝１８０度−θ１）で形成される。
【００６１】
以上のようにして、この発明の紙幣挟持装置１０を構成する（図２（ａ））。
【００６２】
前記おいて、「第一部材２９の垂直片３０の下部３２の他面３２ｂ」及び／又は「第二部材３５の下部３８の他面３８ｂ」が基台部を構成する。また、第一部材２９の垂直片３０の上部３１と第二部材３５の中間部３７とで挟持部本体を構成する。また、第二部材３５の上部３６が透かし確認部の有色透明部を構成する。また、第一部材２９の傾斜片３３の上面３３ａが透かし確認部の反射部を構成する。
【００６３】
（３−２）紙幣挟持装置１０の使用
【００６４】
レジスター１２に、紙幣挟持部１０の第一部材２９の垂直片３０の下部３２の他面３２ｂを固定して使用する（図９（ａ））。
【００６５】
第一部材２９の傾斜片３３と第二部材３５の上部３６との間により案内して、矢示１６のように、紙幣１３を差し込み（図８（ａ））、紙幣１３は第一部材２９の垂直片３０の上部３１と第二部材３５の中間部３７とで挟まれ、保持される。第二部材３５の上部３６に紙幣１３の透かし部１４を位置させ、透かし部１４の一面１４ａが第二部材３５の上部３６の面に沿って当接する（図８（ｂ）、図９（ｂ））。この際、蛍光灯等の照明が第一部材２９の傾斜片３３の上面３３ａに反射して、光は紙幣１３の透かし部１４の裏面１４ｂに当たり、第二部材３５の上部３６に透かし１５を浮き上がらせる。
【００６６】
従って、第一の実施態様と同様に、レジスター１２の操作者は、顧客から預かった紙幣１３を紙幣挟持装置１０に差し込むだけで、改めて透かし１５を確認する作業をすることなく、容易に紙幣１３の真贋を確認できる。
【００６７】
（３−３）他の実施態様
【００６８】
前記実施態様において、角度θ２（＝１８０度−θ１）は、実施態様１、２と同様に、紙幣１３の挿入を案内できれば、通常は鋭角が望ましいが、θ２は任意である（図示していない）。
【００６９】
また、前記において、傾斜片３３と第二部材３５の上部３６と成す角θ２も、紙幣１３の透かし部１４の他面１４ｂに光を当てることができれば、任意であり、通常は１８０度以下とする。
【００７０】
また、前記において、蛍光灯や他の照明器具から直接に光が、あるいは設置したレジスター等の表面で反射した光が、またはレジスター等に設置した証明器具からの光が、紙幣１３の他面１４ｂに直接当たる環境にあれば、第一部材２９の傾斜片３３の上面３３ａの表面の反射の機能は不要であり、任意な構成とすることもできる。例えば、傾斜片３３自体を省略することもできる（図示していない）。
【００７１】
また、前記において、「垂直片３０の下部３２」及び／又は「第二部材３５の下部３８」を省略して、レジスター等に「垂直片３０の上部３１」及び／又は「第二部材３５の中間部３７」を直接に固定して構成することもできる（図示していない）。
【００７２】
また、他の態様は実施態様１〜２と同様である。
【００７３】
［４］第四実施形態
【００７４】
図３、図１２〜図１５に基づきこの発明の他の実施態様を説明する。
【００７５】
（４−１）紙幣挟持装置１０の構成
【００７６】
白色不透明の樹脂材からなり、下部水平片４２の一縁に角θ１（θ１＝約６０度）で傾斜片４３を連設し、傾斜片４３の上縁に、角「１８０度−θ２」（θ２＝θ１）で上部水平片４４を連設して、一体の第一部材４１を形成する。
【００７７】
黒色透明の樹脂材からなり、水平の第二片５０の一縁に角θ１で、傾斜した第一片４７を連設して、第二部材４６を構成する。第一片４７は、上部４８と下部４９に区画される。
【００７８】
第一部材４１の下部水平片４２の下面４２ｂに、第二部材４６の第二片５０の上面５０ａを密着固定する。この状態で、第一部材４１の傾斜片４３と第二部材４６の第一片４７の下部４９が重なり、傾斜片４３と第二部材４６の第一片４７の下部４９との間は接着されず、紙幣挟持部を形成する。第一部材４１の上部水平片４４と第二部材４６の第一片４７の上部４８とは、角度θ２（θ２＝θ１）で形成される。
【００７９】
以上のようにして、この発明の紙幣挟持装置１０を構成する（図３（ａ））。
【００８０】
前記おいて、第二部材４６の第二片５０及び／又は、第一部材４１の下部水平片４２が基台部を構成する。また、第一部材４１の傾斜片４３と第二部材４６の第一片４７の下部４９とで挟持部本体（紙幣挟持部）を構成する。また、第二部材４６の第一片４７の上部４８が透かし確認部の有色透明部を構成する。また、第一部材４１の上部水平片４４の上面４４ａが透かし確認部の反射部を構成する。
【００８１】
（４−２）紙幣挟持装置１０の使用
【００８２】
レジスター１２に、紙幣挟持装置１０の第二部材４６の第二片５０の下面５０ｂを固定して使用する（図１３（ａ））。
【００８３】
第一部材４１の上部水平片４４と第二部材４６の第一片４７の上部４８との間により案内して、矢示１６のように、紙幣１３を差し込み（図１２（ａ））、紙幣１３は第一部材４１の傾斜片４３と第二部材４６の第一片４７の下部４９とで挟まれ、保持される。第二部材４６の第一片４７の上部４８に紙幣１３の透かし部１４を位置させ、透かし部１４の一面１４ａが第二部材４６の第一片４７の上部４８の面に沿って当接する（図１２（ｂ）、図１３（ｂ））。この際、蛍光灯等の照明が第一部材４１の上部水平片４４の上面４４ａに反射して、光は紙幣１３の透かし部１４の他面１４ｂに当たり、第二部材４６の第一片４７の上部４８に透かし１５を浮き上がらせる。
【００８４】
従って、第一の実施態様と同様に、レジスター１２の操作者は、顧客から預かった紙幣１３を紙幣挟持装置１０に差し込むだけで、改めて透かしを確認する作業をすることなく、容易に紙幣１３の真贋を確認できる。
【００８５】
（４−３）他の実施態様
【００８６】
前記において、上部水平片４４と第二部材４６の第一片４７の上部４８と成す角θ２も、紙幣１３の透かし部１４の他面１４ｂに光を当てることができれば、任意であり、通常は１８０度以下とする。
【００８７】
また、前記において、蛍光灯や他の照明器具から直接に光が、あるいは設置したレジスター等の表面で反射した光が、または、レジスター等に設置した証明器具からの光が、紙幣１３の他面１４ｂに直接当たる環境にあれば、第一部材４１の上部水平片４４の上面４４ａの表面の反射の機能は不要であり、任意な構成とすることもできる。例えば、上部水平片４４自体を省略することもできる（図示していない）。
【００８８】
また、前記において、上部水平片４４は水平でなくとも、即ち角θ２＝６０度（＝θ１）としたが、実施態様１と同様に、紙幣１３の挿入を案内できれば、通常は鋭角が望ましいが、θ２任意である（図示していない）。例えば、θ１＝θ２＝４５度とすることもできる（図３（ｂ）、図１４、図１５）。
【００８９】
また、前記において、上部水平片４２は水平でなくとも、即ち角θ２≠θ１、とすることもできる（図示していない）。
【００９０】
また、前記において、「第一部材４１の下部水平片４２」及び／又は「第二部材４６の第二片５０」を省略して、「第一片４７の下部４９」及び／又は「第一部材４１の傾斜片４３」を直接にレジスター等に固定して構成することもできる（図示していない）。
【００９１】
また、他の態様は実施態様１〜３と同様である。
【図面の簡単な説明】
【００９２】
【図１】（ａ）はこの発明の実施態様１、（ｂ）は実施態様２の斜視図である。
【図２】（ａ）は、同じくこの発明の実施態様３、（ｂ）は実施態様２の他の態様の斜視図である。
【図３】（ａ）は、同じくこの発明の実施態様４、（ｂ）は他の態様の斜視図である。
【図４】この発明の実施態様１の斜視図で、（ａ）は紙幣挟持前（ｂ）は紙幣挟持状態を表す。
【図５】同じく、実施態様１で、レジスターに取り付けた状態の斜視図で、（ａ）は紙幣挟持前（ｂ）は紙幣挟持状態を表す。
【図６】この発明の実施態様２の斜視図で、（ａ）は紙幣挟持前（ｂ）は紙幣挟持状態を表す。
【図７】同じく、実施態様２で、レジスターに取り付けた状態の斜視図で、（ａ）は紙幣挟持前（ｂ）は紙幣挟持状態を表す。
【図８】この発明の実施態様３の斜視図で、（ａ）は紙幣挟持前（ｂ）は紙幣挟持状態を表す。
【図９】同じく、実施態様３で、レジスターに取り付けた状態の斜視図で、（ａ）は紙幣挟持前（ｂ）は紙幣挟持状態を表す。
【図１０】この発明の実施態様２の他の態様の斜視図で、（ａ）は紙幣挟持前（ｂ）は紙幣挟持状態を表す。
【図１１】同じく、実施態様２の他の態様で、レジスターに取り付けた状態の斜視図で、（ａ）は紙幣挟持前（ｂ）は紙幣挟持状態を表す。
【図１２】この発明の実施態様４の斜視図で、（ａ）は紙幣挟持前（ｂ）は紙幣挟持状態を表す。
【図１３】同じく、実施態様４で、レジスターに取り付けた状態の斜視図で、（ａ）は紙幣挟持前（ｂ）は紙幣挟持状態を表す。
【図１４】この発明の実施態様４の他の態様の斜視図で、（ａ）は紙幣挟持前（ｂ）は紙幣挟持状態を表す。
【図１５】同じく、実施態様４の他の態様で、レジスターに取り付けた状態の斜視図で、（ａ）は紙幣挟持前（ｂ）は紙幣挟持状態を表す。
【符号の説明】
【００９３】
１  第一部材（実施態様１）
２  第一部材の水平片（実施態様１）
３  第一部材の傾斜片（実施態様１）
４  反射シール（実施態様１）
５  第二部材（実施態様１）
６  第二部材の第一片（実施態様１）
７  第二部材の第二片（実施態様１）
８  第二部材の第三片（実施態様１）
１０  紙幣挟持装置
１２  レジスター
１３  紙幣
１４  紙幣の透かし部
１４ａ  紙幣の透かし部の一面
１４ｂ  紙幣の透かし部の他面
１５  紙幣のすかし
１８  第一部材（実施態様２）
１９  第一部材の下部水平片（実施態様２）
２０  第一部材の傾斜片（実施態様２）
２１  第一部材の上部水平片（実施態様２）
２１ａ  第一部材の上部水平片の上面（実施態様２）
２３  第二部材（実施態様２）
２４  第二部材の第一片（実施態様２）
２５  第二部材の第一片の上部（実施態様２）
２６  第二部材の第一片の下部（実施態様２）
２７  第二部材の第二片（実施態様２）
２９  第一部材（実施態様３）
３０  第一部材の垂直片（実施態様３）
３１  第一部材の垂直片の上部（実施態様３）
３２  第一部材の垂直片の下部（実施態様３）
３３  第一部材の傾斜片（実施態様３）
３３ａ  第一部材の傾斜片の上面（実施態様３）
３５  第二部材（実施態様３）
３６  第二部材の上部（実施態様３）
３７  第二部材の中間部（実施態様３）
３８  第二部材の下部（実施態様３）
４１  第一部材（実施態様４）
４２  第一部材の下部水平片（実施態様４）
４３  第一部材の傾斜片（実施態様４）
４４  第一部材の上部水平片（実施態様４）
４６  第二部材（実施態様４）
４７  第二部材の第一片（実施態様４）
４８  第二部材の第一片の上部（実施態様４）
４９  第二部材の第一片の下部（実施態様４）
５０  第二部材の第二片（実施態様４）
【図１】
2006331381.tif 000003
【図２】
2006331381.tif 000004
【図３】
2006331381.tif 000005
【図４】
2006331381.tif 000006
【図５】
2006331381.tif 000007
【図６】
2006331381.tif 000008
【図７】
2006331381.tif 000009
【図８】
2006331381.tif 000010
【図９】
2006331381.tif 000011
【図１０】
2006331381.tif 000012
【図１１】
2006331381.tif 000013
【図１２】
2006331381.tif 000014
【図１３】
2006331381.tif 000015
【図１４】
2006331381.tif 000016
【図１５】
2006331381.tif 000017